(57)【要約】【課題】本発明は、片手でスライドカバーを開閉できる携帯装置を提供することを課題とする。【解決手段】本発明の一態様に係る携帯装置は、装置本体と、この装置本体の表面に装着されるスライドカバーとを備える携帯装置であって、前記装置本体が、前記スライドカバーのスライド方向に押し込まれるように配置される操作部材と、前記スライドカバーのスライド方向に交差する方向に移動して前記スライドカバーを係止可能なストッパーと、前記操作部材の押し込みにより前記ストッパーを前記スライドカバーの係止を解除する方向に移動させる連動機構とを有することを特徴とする。【選択図】図３
2018125778.tif 000002
【特許請求の範囲】
【請求項１】
扁平な装置本体と、
この装置本体の表面にスライド可能に装着される板状のスライドカバーと
を備える携帯装置であって、
前記装置本体が、
前記表面と平行かつスライドカバーのスライド方向と交差する方向に移動可能に構成される１又は複数のストッパーと、
前記１又は複数のストッパーを移動方向一方側に押すばねと、
前記スライド方向一方側の端面に前記スライド方向に押し込み可能に設けられる操作部材と、
前記操作部材の押し込みにより前記ばねに抗して１又は複数のストッパーを移動させる連動機構と
を備えることを特徴とする携帯装置。
【請求項２】
前記連動機構がカム機構である請求項１に記載の携帯装置。
【請求項３】
前記連動機構が、カムの当接中心位置と操作部材の操作面中心位置とを結ぶ直線よりも前記装置本体の裏面側に位置する接続部を有する請求項２に記載の携帯装置。
【請求項４】
前記装置本体が、固定部と、この固定部と前記ストッパーとを接続する弾性変形可能な支持部とをさらに有し、
前記固定部、ストッパー及び支持部が樹脂で一体に成形されている請求項１、請求項２又は請求項３に記載の携帯装置。
【請求項５】
前記操作部材が、前記装置本体のスライドカバー開方向側の端面に設けられている請求項１から請求項４のいずれか１項に記載の携帯装置。
【発明の詳細な説明】
【技術分野】
【０００１】
本発明は、携帯装置に関する。
【背景技術】
【０００２】
例えば腰、腕等の人体の一部に取り付けて使用する携帯装置が用いられている。このような携帯装置の具体例としては、例えば特開２００７−１８１０８３号公報に記載のワイヤレスマイクロホン送信機が挙げられる。
【０００３】
このように、人体に取り付ける携帯装置では、人の動きにより、意図せず携帯装置に他の物体がぶつかるおそれがある。このため、このような携帯装置では、スイッチ等を装置の外面に配置すると、他の物体に当たって設定が変更されてしまう可能性がある。
【０００４】
このため、人体に取り付ける携帯装置は、意図しないスイッチ等の操作を防止するために、スイッチ等を凹部の中に形成したり、使用時に閉じられるカバーによってスイッチ等を覆うようにしたものも少なくない。このような携帯装置用カバーとしては、装置本体の表面に沿ってスライド可能に装着されるスライドカバーが用いられている。
【０００５】
スライドカバーを用いる携帯装置としては、図７に示すように、装置本体１０１の表面に突出し、スライドカバー１０２のスライド方向に垂直な方向に移動可能且つ一方向にばねで押圧されるストッパー１０３を設け、スライドカバー１０２に前記ストッパー１０３が挿入される係合溝（不図示）を形成したものがある。前記係合溝は、スライドカバーを閉鎖した状態でばねに押されたストッパーが入り込む凹部を有する構成とされる。
【０００６】
従来の携帯装置では、ストッパー１０３を移動させてカムの凹部から脱離させることによって、スライドカバー１０２の開閉を可能にする操作部材１０４が設けられる。通常、操作部材１０４は、ストッパー１０３と一体に移動する押しボタンとされる。このため、ストッパー１０３の移動方向はスライドカバー１０２のスライド方向に垂直となるので、操作部材１０４は、装置本体１０１のスライドカバー１０２のスライド方向と垂直方向の側面に設けられ、装置本体１０１の内側に向かって押し込むことにより、ストッパー１０３を移動させるものとなる。
【０００７】
このような従来の携帯装置では、ユーザーは、操作部材１０４を押し込みながらスライドカバー１０２を操作部材１０４の押し込み方向と垂直な方向にスライドさせる必要があるため、スライドカバー１０２の開閉を行う場合、片手では容易に操作することができず、一方の手で操作部材１０４を押し込み、同時に他方の手でスライドカバー１０２をスライドさせなければならない。
【先行技術文献】
【特許文献】
【０００８】
【特許文献１】特開２００７−１８１０８３号公報
【発明の概要】
【発明が解決しようとする課題】
【０００９】
前記不都合に鑑みて、本発明は、片手でスライドカバーを開閉できる携帯装置を提供することを課題とする。
【課題を解決するための手段】
【００１０】
前記課題を解決するためになされた本発明の一態様に係る携帯装置は、扁平な装置本体と、この装置本体の表面にスライド可能に装着される板状のスライドカバーとを備える携帯装置であって、前記装置本体が、前記表面と平行かつスライドカバーのスライド方向と交差する方向に移動可能に構成される１又は複数のストッパーと、前記１又は複数のストッパーを移動方向一方側に押すばねと、前記スライド方向一方側の端面に前記スライド方向に押し込み可能に設けられる操作部材と、前記操作部材の押し込みにより前記ばねに抗して１又は複数のストッパーを移動させる連動機構とを備えることを特徴とする。
【００１１】
本発明の一態様に係る携帯装置において、前記連動機構がカム機構であることが好ましい。
【００１２】
本発明の一態様に係る携帯装置において、前記連動機構が、カムの当接中心位置と操作部材の操作面中心位置とを結ぶ直線よりも前記装置本体の裏面側に位置する接続部を有することが好ましい。
【００１３】
本発明の一態様に係る携帯装置において、前記装置本体が、固定部と、この固定部と前記ストッパーとを接続する弾性変形可能な支持部とをさらに有し、前記固定部、ストッパー及び支持部が樹脂で一体に成形されていることが好ましい。
【００１４】
本発明の一態様に係る携帯装置において、前記操作部材が、前記装置本体のスライドカバー開方向側の端面に設けられていることが好ましい。
【発明の効果】
【００１５】
本発明の一態様に係る携帯装置は、前記操作部材の押し込みにより前記ストッパーを前記スライドカバーの係止を解除する方向に移動させる連動機構を備えることによって、スライドカバーのスライド方向と操作部材の押し込み方向とを略平行にすることができる。これによって、当該携帯装置は、操作部材の押し込み操作とスライドカバーのスライド操作とを片手で行うことができる。
【図面の簡単な説明】
【００１６】
【図１】本発明の一実施形態のワイヤレスマイク送信機の構成を示す模式的分解斜視図である。
【図２】図１のワイヤレスマイク送信機の模式的側面図である。
【図３】図１のワイヤレスマイク送信機の装置本体の一部の部品を取り外した状態を示す模式的正面図である。
【図４】図３のワイヤレスマイク送信機の連動機構部分の模式的Ａ−Ａ線断面図である。
【図５】図１のワイヤレスマイク送信機のスライドカバーの模式的背面図である。
【図６】本発明の図１とは異なる実施形態の携帯装置の連動機構の構成を示す模式的正面図である。
【図７】従来のワイヤレスマイク送信機の構成を示す模式的分解斜視図である。
【発明を実施するための形態】
【００１７】
以下、適宜図面を参照しつつ、本発明の実施の形態を詳説する。
【００１８】
［第一実施形態］
図１に、本発明に係る携帯装置の一実施形態であるワイヤレス送信機を示す。当該ワイヤレス送信機は、主にピンマイク（不図示）が接続され、ピンマイクが集音した音声信号を無線信号に変換して送信するために使用される。このワイヤレス送信機は、主にユーザーの腰のベルトに装着して使用される。
【００１９】
当該ワイヤレス送信機は、扁平な装置本体１と、この装置本体１の表面側（使用時にユーザーと反対側に配置される正面の側）に所定のスライド方向（本実施形態では使用時における上下方向）にスライド可能に装着されるスライドカバー２とを備える。
【００２０】
また、当該ワイヤレス送信機は、図２に示すように、装置本体１の裏面（使用時にユーザーに面する背面の側）に、ユーザーのベルト等に装着するために設けられるクリップ３を有する。
【００２１】
＜装置本体＞
装置本体１は、ピンマイクから入力される音声信号を電波信号に変換して送信するための電気回路を構成する回路基板を収容する。
【００２２】
この装置本体１は、スライドカバー２のスライド方向に押し込まれるように配置される操作部材４と、スライドカバー２のスライド方向に交差する方向に移動してスライドカバー２を係止可能なストッパー５と、操作部材４の押し込みによりストッパー５をスライドカバー２の係止を解除する方向に移動させる連動機構６とを有する。
【００２３】
また、装置本体１は、スライドカバー２に覆われる面に、当該ワイヤレス送信機のオンオフや設定操作を行うためのスイッチ７と、内部の電気回路に電力を供給するための電池を収容する電池収納部８とを有する。
【００２４】
また、装置本体１は、上面に、ピンマイクを接続するためのコネクタ（不図示）を有する。
【００２５】
また、装置本体１は、図３に示すように、その内部に、固定部９と、この固定部９とストッパー５とを接続する弾性変形可能な一対の支持部１０とをさらに有する。固定部９、ストッパー５及び支持部１０は、樹脂で一体に成形されている。
【００２６】
装置本体１は、操作部材４を外側に押し出すよう配置される操作部材用ばね１１と、ストッパー５をその移動方向一方側に押すストッパー用ばね１２とをさらに有する。
【００２７】
（操作部材）
操作部材４は、装置本体１のスライドカバー２を開放する際に移動させる側の端面（本実施形態では下面）に設けることが好ましい。このように、操作部材４をスライドカバー２を閉鎖する方向に押し込むことができるよう設けることで、スライドカバー２に対して操作部材４を押し込むよう操作すればスライドカバー２の装置本体１に対する係止を解除してスライドカバー２を開放できるようになる。このスライドカバー２に対して操作部材４を押し込む操作は、例えば親指と中指、薬指又は小指でスライドカバー２を把持し、人差し指で操作部材４を押し込むことで可能である。従って、当該ワイヤレス送信機は、片手でスライドカバー２を比較的容易に開放することができる。
【００２８】
操作部材４は、装置本体１の下側に十分な面積の操作面を有するものとすることが好ましい。このため、操作部材４は、操作面の表裏方向の長さが可能な限り大きく、装置本体１の表裏方向の厚さに近いことが好ましい。
【００２９】
また、操作部材４は、力を入れて押し込むことが容易となるよう、装置本体１の左右方向中央部に設けられることが好ましい。
【００３０】
＜ストッパー＞
一対のストッパー５は、装置本体１の表面側から見てスライドカバー２のスライド方向の中心軸に対して線対称に、つまり鏡写しで左右対称に設けられている。このように、一対のストッパー５を左右対称に設けることで、後述する連動機構６に作用する力が左右均等となり、ストッパー５の操作が容易となる。
【００３１】
一対のストッパー５は、その間に配置されるストッパー用ばね１２によって互いの間隔を広げる方向に押される。
【００３２】
ストッパー５は、装置本体１のスライドカバー２によって覆われる面に形成される開口１３から突出し、開口１３によって移動範囲が制限される。このように、特に、ストッパー用ばね１２の弾性力に対抗してストッパー５の移動端を定める構造を有することによって、後述するスライドカバー２の構成により、スライドカバー２をスライドさせる際にスライドカバー２とストッパー５との間に生じる摩擦を低減することができる。
【００３３】
このストッパー５は、ストッパー用ばね１２により移動範囲の左右方向外側に配置されることでスライドカバー２を係止し、ストッパー用ばね１２に抗して左右方向外側中央側に移動させられることでスライドカバーの係止を解除してスライドカバー２のスライドを可能にするよう配置されている。
【００３４】
ストッパー５は、固定部９に対して正面視で円弧状に延びる支持部１０を介して接続されており、この支持部１０の曲げ伸ばしにより弧を描くように揺動する。ストッパー５は、スライドカバー２を係止する位置における揺動方向が略左右方向となるように配置されている。なお、支持部１０は、曲げ伸ばしの反力が小さくなるよう十分に薄く形成されており、一対のストッパー５は、ストッパー用ばね１２の弾性力によって左右方向外側に押圧される。
【００３５】
＜連動機構＞
本実施形態における連動機構６は、図３及び図４に示すように、操作部材４と一体に上下移動する接触部１４と、ストッパー５に設けられ、接触部１４が接触するカム部１５と、操作部材４及び接触部１４間を接続する接続部１６とを備えるカム機構である。前記接触部１４は、連動機構６が構成するカム機構の従節となる。つまり、連動機構６は、操作部材４と一体に移動する従節の直線運動をストッパー５と一体に移動するカムの運動に変換する逆カム機構である。
【００３６】
（接触部）
接触部１４は、カム部１５に接触した状態で、カム部１５の表面に沿ってスライドする。このため、接触部１４は、摩擦を低減できるよう、正面から見て丸く形成されている。
【００３７】
（カム部）
カム部１５は、接触部１４に対する接触面の法線方向が下方外側に傾斜している。このため、操作部材４の押し込みにより接触部１４が上方に移動すると、カム部１５の接触面の傾斜が圧力角となって、ストッパー５と共に左右方向内側に移動する。これによって、ストッパー５がスライドカバー２の係止を解除する。
【００３８】
（接続部）
接続部１６は、接触部１４とカム部１５との当接中心位置と、操作部材４の操作面中心位置とを結ぶ直線よりも装置本体１の裏面側に位置するよう設けられている。このように、接続部１６を裏面側にオフセットすることによって、本実施形態のように、接続部１６の表面側にストッパー５を支持する支持部１０を配置することができるので、当該ワイヤレス送信機を小型化することができる。
【００３９】
＜スライドカバー＞
スライドカバー２は、図５に示すように、装置本体１に対向する裏面に形成され、閉鎖方向端部がスライドカバー２の端面に開放され、ストッパー５を受け入れる一対の係合溝１７を有する。
【００４０】
（係合溝）
一対の係合溝１７は、ストッパー５が押圧される側の側壁、つまり左右方向外側の側壁が、ストッパー５を受け入れて装置本体１との相対位置を固定する複数の係合凹部（閉鎖方向先端側から順に第１係合凹部１８、第２係合凹部１９及び第３係合凹部２０）をそれぞれ有する。
【００４１】
閉鎖方向に最も先端側の第１係合凹部１８は、装置本体１のスイッチ７及び電池収納部８を共に露出させる位置にスライドカバー２を固定する。次の第２係合凹部１９は、装置本体１のスイッチ７を露出させながら電池収納部８を覆い隠す位置にスライドカバー２を固定する。閉鎖方向に最も後端側（開放方向先端側）の第３係合凹部２０は、装置本体１の表面全体を覆い隠す閉鎖位置にスライドカバー２を固定する。
【００４２】
また、係合溝１７は、係合凹部１８，１９，２０の間に、ストッパー５を受け入れてスライドカバー２の装置本体１に対する相対移動時の摩擦を低減する移行凹部（第１移行凹部２１及び第２移行凹部２２）を有する。
【００４３】
また、係合溝１７は、閉鎖方向端部に、開放側に向かって幅を大きくする拡大部２３を有することが好ましい。
【００４４】
〔係合凹部〕
係合凹部１８，１９，２０は、閉鎖方向側にスライド方向に対して垂直な係止壁部２４を有し、開放方向側（下側）に奧側（左右方向外側）ほど係止壁部２４との距離が小さくなるよう傾斜した圧力壁部２５を有する。これらの係止壁部２４及び圧力壁部２５と係合溝１７の隣接部分との境界部分は正面から見て丸く面取りされていることが好ましい。
【００４５】
係合凹部１８，１９，２０の奧壁は、左右方向の移動範囲の外側端部に位置するストッパー５との間に僅かに隙間を形成し、ストッパー５の端面に当接しないようにしてもよい。また、係合凹部１８，１９，２０の奧壁のスライドカバー２のスライド方向長さをストッパー５のスライドカバー２のスライド方向長さより小さくし、ストッパー５が係止壁部２４及び圧力壁部２５に当接する状態でスライドカバー２を遊びなく固定するようにしてもよい。
【００４６】
係止壁部２４は、係合凹部１８，１９，２０にストッパー５が入り込んでいる状態でスライドカバー２を開放方向に移動してスライドカバー２の開度を大きくしようとすると、ストッパー５に当接することによってスライドカバー２の開放方向への移動を規制する。このため、係合凹部１８，１９，２０にストッパー５が入り込んで固定されているスライドカバー２を開放方向に移動させる場合、操作部材４を押し込んでストッパー５を左右方向中央側に移動させて係合凹部１８，１９，２０から脱離させる必要があるので、意図せずにスライドカバー２の開度が大きくなることを防止できる。
【００４７】
一方、圧力壁部２５は、係合凹部１８，１９，２０にストッパー５が入り込んでいる状態でスライドカバー２を閉鎖方向に押圧すると、圧力壁部２５の傾斜によってストッパー５をばねの押圧力に反して左右方向内側に押し込んで、スライドカバー２が閉鎖方向に移動して開度を小さくして装置本体１の表面を覆うことを可能にする。
【００４８】
〔移行凹部〕
移行凹部２１，２２は、前記スライド方向両側に奧側ほど相互の距離が小さくなるよう傾斜した一対の移行壁部２６を有する。これらの移行壁部２６と係合溝１７の隣接部分との境界部分は正面から見て丸く面取りされていることが好ましい。
【００４９】
移行凹部２１，２２の奧壁は、移行凹部２１，２２の中央部でのストッパー５と係合溝１７との摩擦をなくすことができるよう、左右方向の移動範囲の外側端部に位置するストッパー５との間に僅かに隙間を形成し、ストッパー５の端面に当接しないようにすることが好ましい。
【００５０】
移行壁部２６は、スライドカバー２をスライドさせる際、その傾斜によってストッパー５をばねの押圧力に反して左右方向内側に押し込んで、移行凹部２１，２２からストッパー５を脱離させて係合凹部１８，１９，２０に入り込ませること、つまりスライドカバー２を所定の固定位置に固定することを可能にする。
【００５１】
この移行壁部２６の閉鎖方向に対する傾斜角度は、上述の圧力壁部２５の閉鎖方向に対する傾斜角度のよりも小さいことが好ましい。これにより、ストッパー５を係合凹部１８，１９，２０に入り込ませる際に必要な力が、ストッパー５を係合凹部１８，１９，２０から脱離させる際に必要な力よりも小さくなり、所望の固定位置にスライドカバー２を固定することが容易となる。
【００５２】
（拡大部）
拡大部２３は、操作部材４を使用しなくても、その傾斜によりストッパー５を左右方向中央側に押し込んでストッパー５を係合溝１７に挿入できるようにするために設けられる。このため、拡大部２３の開口部における位置は、ストッパー５の左右方向の移動範囲の外側端部位置よりさらに外側とされる。
【００５３】
＜利点＞
上述のように、本発明に係る携帯装置の一実施形態であるワイヤレス送信機は、操作部材４の押し込みによりストッパー５をスライドカバー２の係止を解除する方向に移動させる連動機構６を備えている。これによって、当該ワイヤレス送信機は、スライドカバー２のスライド方向と操作部材４の押し込み方向とが略平行となっているため、操作部材４の押し込み操作とスライドカバー２のスライド操作とを片手で行うことができる。
【００５４】
当該ワイヤレス送信機において、連動機構６は、カム機構であるため、その構成が比較的簡単である。
【００５５】
当該ワイヤレス送信機において、連動機構６は、カムの当接中心位置と操作部材４の操作面中心位置とを結ぶ直線から装置本体１の裏面側にオフセットされた接続部１６を有するので連動機構６の表面側にストッパー５の支持構造（支持部１０）が配置可能となっており、装置全体を小型化することができる。
【００５６】
当該ワイヤレス送信機において、装置本体１は、ストッパー５、固定部９及び支持部１０が樹脂で一体に成形されているので、部品点数が少なく、組み立てが容易である。
【００５７】
当該ワイヤレス送信機は、操作部材４が、装置本体１の端面のうちスライドカバー２の開方向側の端面に設けられているので、スライドカバー２を把持して操作部材４を押し込むことでストッパー５による係止を解除してスライドカバー４を開放することができ、操作が容易である。
【００５８】
［第二実施形態］
図６に、本発明に係る携帯装置の第二実施形態であるワイヤレス送信機の装置本体１ａを示す。図６のワイヤレス送信機の装置本体１ａは、図１のワイヤレス送信機の装置本体１に換えて使用することができるものであり、図１のワイヤレス送信機の装置本体１と同様に、ピンマイクから入力される音声信号を電波信号に変換して送信するための電気回路を構成する回路基板を収容する。
【００５９】
＜装置本体＞
本実施形態のワイヤレス送信機の装置本体１ａは、スライドカバー２のスライド方向に押し込まれるように配置される操作部材４と、スライドカバー２のスライド方向に交差する方向に移動してスライドカバー２を係止可能な一つのストッパー５と、操作部材４の押し込みによりストッパー５をスライドカバー２の係止を解除する方向に移動させる連動機構６ａとを有する。
【００６０】
つまり、図６の装置本体１ａは、連動機構６ａの構成が異なることを除いて、図１の装置本体１と同様の構成とすることができる。このため、図６の装置本体１ａについて、図１の装置本体１と同じ構成要素には同じ符号を付して重複する説明を省略する。
【００６１】
図６のワイヤレス送信機の装置本体１ａは、固定部及び支持部を有せず、連動機構６ａが直接ストッパー５を支持している。このため、図６のワイヤレス送信機の装置本体１ａは、ストッパー５を外側に押圧するストッパー用ばねを有せず、操作部材４を下方に押し出す操作部材用ばね１１ａによって連動機構６ａを介して左右方向外側に移動させられることで、スライドカバー２を係止する。つまり、本実施形態の操作部材用ばね１１ａは、ストッパー５を移動方向一方側に押すばねを兼ねている。
【００６２】
＜連動機構＞
本実施形態の連動機構６ａは、ストッパー５と一体に形成され、揺動可能に設けられる揺動部材２７と、操作部材４と揺動部材２７とを接続するリンク２８とを有する。つまり、本実施形態の連動機構６ａは、操作部材４の上方への押し込み動作をストッパー５を左右方向内側に移動させる揺動に変換するリンク機構である。
【００６３】
（揺動部材）
揺動部材２７は、先端にストッパー５が配置され、ストッパー５がスライドカバー２を係止する位置にある状態で略上下方向に延びる揺動可能な支持アーム部２９と、ストッパー５がスライドカバー２を係止する位置にある状態で支持アーム部２９の揺動中心部から略左右方向外側に延びる操作レバー部３０とを有する。
【００６４】
リンク２８は、一端が操作レバー部３０の先端に揺動可能に接続され、他端が操作部材４に揺動可能に接続されている。
【００６５】
＜利点＞
このような図６の装置本体１ａを備えるワイヤレス送信機は、連動機構６ａによって、図１のワイヤレス送信機と同様に、操作部材４の押し込みによりストッパー５をスライドカバー２の係止を解除する方向に移動させることができる。これによって、当該ワイヤレス送信機は、スライドカバー２のスライド方向と操作部材４の押し込み方向とが略平行となっているため、操作部材４の押し込み操作とスライドカバー２のスライド操作とを片手で行うことができる。
【００６６】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６７】
本発明の実施形態に係る携帯装置において、操作部材は、スライドカバーの開放方向に押し込まれるよう設けられていてもよい。この場合、スライドカバーと操作部材とを同じ方向に同時に押すことで、スライドカバーの係止を解除してスライドカバーを開放することができる。
【００６８】
本発明の実施形態に係る携帯装置において、ストッパーは、装置本体のスライドカバーに覆われる側面に突出してもよい。
【００６９】
また、本発明の実施形態に係る携帯装置において、ストッパーは、操作部材の押し込みによって装置本体の内部に後退するものであってもよい。
【００７０】
本発明の実施形態に係る携帯装置は、スライドカバーが係合溝に替えてストッパーが挿入される凹部だけを有し、操作部材のスライドカバーをする際には必ず操作部材を押し込む必要があるものであってもよい。
【産業上の利用可能性】
【００７１】
本発明は、ワイヤレスマイク用ボディーパック型送信機に特に好適に適用されるが、楽器用トランスミッター等の他のワイヤレス送信機、各種リモコン、歩数計、カプセル内視鏡用受信機など、多様な携帯装置に広く適用することができる。
【符号の説明】
【００７２】
１，１ａ  装置本体
２  スライドカバー
３  クリップ
４  操作部材
５  ストッパー
６，６ａ  連動機構
７  スイッチ
８  電池収納部
９  固定部
１０  支持部
１１，１１ａ  操作部材用ばね
１２  ストッパー用ばね
１３  開口
１４  接触部
１５  カム部
１６  接続部
１７  係合溝
１８，１９，２０  係止凹部
２１，２２  移行凹部
２３  拡大部
２４  係止壁部
２５  圧力壁部
２６  移行壁部
２７  揺動部材
２８  リンク
２９  支持アーム部
３０  操作レバー部
【図１】
2018125778.tif 000003
【図２】
2018125778.tif 000004
【図３】
2018125778.tif 000005
【図４】
2018125778.tif 000006
【図５】
2018125778.tif 000007
【図６】
2018125778.tif 000008
【図７】
2018125778.tif 000009